(57)【要約】      （修正有）【課題】食料品広告を付加する広告システムに関し、購入した食料品データから適切な広告データを検索し、出力することができる広告システムを提供する。【解決手段】小売店や外食店などにおいて、データベース１に保存されている食料品、および食料メニューについての栄養情報データを消費者の購入食料品および消費した食料メニュー２、３、４に付与し、そのデータを装置５が商品購入時、もしくは精算時に読み取って総合化させ、そのデータに基づいて装置６が各消費者に適当な食料品広告をデータベース７から検索して出力し、その結果を装置８が広告情報を付加する。【選択図】図１
2008096938.tif 000002
【特許請求の範囲】
【請求項１】
購入食料品や消費者が食した食料品メニューから、その購入者、消費者にふさわしい食料品栄養情報データベースおよび食料品広告情報データベースを保有し、そこから購買者、消費者各自に適当な食料品広告を提供する広告システムであって、各食料品に栄養データが入力され、それを購入時に読み取って、総合させ、出力する装置を設け、前記装置によって出されたデータに基づいて前記食料品広告情報データベースの中の広告を、付与すべき選択条件を満足するか否かを判断する判断手段と、前記条件を満足する食料品購入者に対して食料品広告を提供する広告情報付加手段と、を有することを特徴とした食料品広告システム。
【請求項２】
前記装置は、あらかじめ売り出されている食料品についての栄養データを記憶する記憶手段が設けられ、それを基に購入時にデータを総合させる演算手段と、その結果を出力させる表示手段と、を有することを特徴とした請求項１記載の食料品広告システム。
【請求項３】
前記判断手段は、各栄養素を補う食料品についての前記食料品情報データベースを保有し、前記装置によって出力されたデータを基に、不足する栄養素を補う食料品を前記食料品情報データベースの中から判断し、出力することを特徴とする請求項１記載の食料品広告システム。
【請求項４】
前記広告情報付加手段は、前記食料品広告情報データベースを保有し、前記判断手段によって出力された食料品の広告を前記食料品広告情報データベースの中から選び出す選択手段と、その情報を付加する広告情報負荷手段と、を有することを特徴とする請求項１記載の食料品広告システム。
【請求項５】
請求項１に記載の広告システムをコンビニエンスストアなどの小売店で使用し、各企業の食料品広告を消費者に表示する広告方法であって、前記食料品情報データベースおよび前記食料品広告情報データベースを食料品メーカーに公開し、消費者に広告を提供する表示手段を持つことを特徴とする広告方法。
【発明の詳細な説明】
【発明の詳細な説明】
【技術分野】
【０００１】本発明は、各個人が必要としている栄養素を割り出し、それに基づいて食料品の広告を行うというものである。
【背景技術】
【０００２】コンビニエンスストア等やその他小売店では、レシート上に購入者が希望する広告を掲載する、などがあった。
【発明の開示】
【発明が解決しようとする課題】
【０００３】従来のコンビニエンスストアなどの小売店において、食料品購入者のニーズに合わせた各種食料品の広告を表示するというシステムは無かった。
【課題を解決するための手段】
【０００４】上記課題を解決すべく、本発明である食料品広告システムは、購入食料品や消費者が食した食料品メニューから、その購入者、消費者にふさわしい食料品栄養情報データベースおよび食料品広告情報データベースを保有し、そこから購買者、消費者各自に適当な食料品広告を提供する広告システムであって、各食料品に栄養データが入力され、それを購入時に読み取って、総合させ、出力する装置を設け、前記装置によって出されたデータに基づいて前記食料品広告情報データベースの中の広告を、付与すべき選択条件を満足するか否かを判断する判断手段と、前記条件を満足する食料品購入者に対して食料品広告を提供する広告情報付加手段と、を有する広告システムを構築することによって上記課題を達成する。【０００５】ここで食料品栄養情報データベースとは、各食料品の栄養情報をデータとして蓄積しているデータベースのことである。例えば、食料品Ａについてのカロリーや五大栄養素含有量についての情報が蓄積されている。食料品広告情報データベースとは、食料品の内容、名称、メーカーなどについての情報を蓄積するデータベースである。
【発明の効果】
【０００６】本発明によれば、効果的な食料品広告宣伝を行うことができる広告システムが構築可能である。
すなわち、請求項１によれば、消費者が購入した食料品もしくは食した食料メニューから、各自に必要な栄養素を割り出し、それを十分含む食料品広告を提供するものであり、消費者は自身に適当な広告を受け取ることが出来る。また、食料品メーカーおよび関係する企業は、効率的に食料品広告を消費者に提供することが出来る。【０００７】また、請求項２によれば、消費者は購入食料品についてのより詳しい情報を受け取ることが出来、その後の消費活動において一つの指針とすることが出来る。【０００８】以下、本発明の実施の形態を図面を参照しながら説明する。
（実施形態１）
図２は本発明である広告システムが構築された小売店の構成の一部を示す図である。【０００９】装置Ａは各食料品Ｂについての栄養情報を蓄積する記憶手段を有した装置であり、これは随時新たな情報を入力、もしくは不要な情報を削除することが出来、それらの情報を各食料品に、購入時に識別できる認識手段を用いてデータを付与する。認識手段とは例えばバーコードなどである。食料品Ｂに付与された情報は購入時に装置Ｃによって識別され、総合される。【００１０】装置Ｃは上記情報を認識する認識手段と、獲得した情報を総合化することが出来るＣＰＵで構成される演算手段、さらに得られた結果について出力する出力装置で構成され、出力された情報は装置Ｄへ送られる。【００１１】装置Ｄは上記情報を基に、購入者に最も合致する広告データを装置Ｅが蓄積する食料品広告情報データベースから検索することが出来るＣＰＵで構成される判断手段を有している。例えば、食料品Ｂ１とＢ２について、装置Ｃから送られてきた情報から、ある一つの栄養素が不足していると判断した場合は、装置Ｅにその不足した栄養素を補える食料品の広告データを検索する。装置Ｄは装置Ｅから取得した広告データを装置Ｆへ送る。【００１２】装置Ｅは各食料品についての広告データを蓄積する記憶手段を有した装置であり、これは随時新たな情報を入力、もしくは不要な情報を削除することが出来る。広告データは例えば商品の名称、メーカー、および広告文や画像からなっている。【００１３】装置Ｆは装置Ｄが検索し出力した広告データを消費者に提供できる広告情報付加装置であり、プリンタ装置がこれに対応し、例えばレシートなどの余白部分に広告情報を印刷する。【００１４】尚、本例では装置Ｃと装置Ｄを別々の装置としたが、これら二つは一つのコンピュータの中に統合したシステムとしてもよい。また、装置Ｃが出力した情報は装置Ｄに送られるとしたが、この情報はそのまま装置Ｆに送られ消費者に提供される、としてもよい。
（実施形態２）
次に、本発明の実施形態２について説明する。【００１５】本例は上記実施形態と基本構成は同じであるが、想定する場所が小売店舗ではなく、レストランなどの外食店である。以下、具体的に説明する。
図３は本例の構成を説明する図であり、装置Ａは各食料メニューｂの栄養情報を蓄積する記憶手段を有した装置であり、それらの情報を各食料品に、精算時に識別できる認識手段を用いてデータを付与する。これらのデータは装置Ｃが読み込んで認識し、総合して、その情報を装置Ｄへ送る。装置Ｄはその情報に基づいて、消費者に適当な広告データを装置Ｅが保有する広告データから検索する。装置Ｅは食料品広告情報データベースである。装置Ｄは装置Ｅから検索した広告データを装置Ｆへ送る。装置Ｆは装置Ｄが検索し出力した広告データを消費者に提供できる広告情報付加装置であり、プリンタ装置がこれに対応し、例えばレシートなどの余白部分に広告情報を印刷する。【００１６】以上のように、消費者が外食店で食したメニューから、最適な食料品広告を検索し提供することで、消費者、企業側双方にとってより効果的な広告宣伝活動が可能である。
【図１】
2008096938.tif 000003
【図２】
2008096938.tif 000004
【図３】
2008096938.tif 000005
【手続補正書】
【提出日】平成18年12月5日(2006.12.5)
【手続補正１】
【補正対象書類名】明細書
【補正対象項目名】全文
【補正方法】変更
【補正の内容】
【発明の詳細な説明】
【技術分野】本発明は、各個人が必要としている栄養素を割り出し、それに基づいて食料品の広告を行うというものである。
【背景技術】
【０００２】コンビニエンスストア等やその他小売店では、レシート上に購入者が希望する広告を掲載する、などがあった。
【発明の開示】
【発明が解決しようとする課題】
【０００３】従来のコンビニエンスストアなどの小売店において、食料品購入者のニーズに合わせた各種食料品の広告を表示するというシステムは無かった。
【課題を解決するための手段】
【０００４】上記課題を解決すべく、本発明である食料品広告システムは、購入食料品や消費者が食した食料品メニューから、その購入者、消費者にふさわしい食料品栄養情報データベースおよび食料品広告情報データベースを保有し、そこから購買者、消費者各自に適当な食料品広告を提供する広告システムであって、各食料品に栄養データが入力され、それを購入時に読み取って、総合させ、出力する装置を設け、前記装置によって出されたデータに基づいて前記食料品広告情報データベースの中の広告を、付与すべき選択条件を満足するか否かを判断する判断手段と、前記条件を満足する食料品購入者に対して食料品広告を提供する広告情報付加手段と、を有する広告システムを構築することによって上記課題を達成する。【０００５】ここで食料品栄養情報データベースとは、各食料品の栄養情報をデータとして蓄積しているデータベースのことである。例えば、食料品Ａについてのカロリーや五大栄養素含有量についての情報が蓄積されている。食料品広告情報データベースとは、食料品の内容、名称、メーカーなどについての情報を蓄積するデータベースである。
【発明の効果】
【０００６】本発明によれば、効果的な食料品広告宣伝を行うことができる広告システムが構築可能である。すなわち、請求項１によれば、消費者が購入した食料品もしくは食した食料メニューから、各自に必要な栄養素を割り出し、それを十分含む食料品広告を提供するものであり、消費者は自身に適当な広告を受け取ることが出来る。また、食料品メーカーおよび関係する企業は、効率的に食料品広告を消費者に提供することが出来る。【０００７】また、請求項２によれば、消費者は購入食料品についてのより詳しい情報を受け取ることが出来、その後の消費活動において一つの指針とすることが出来る。【０００８】以下、本発明の実施の形態を図面を参照しながら説明する。（実施形態１）図２は本発明である広告システムが構築された小売店の構成の一部を示す図である。【０００９】装置Ａは各食料品Ｂについての栄養情報を蓄積する記憶手段を有した装置であり、これは随時新たな情報を入力、もしくは不要な情報を削除することが出来、それらの情報を各食料品に、購入時に識別できる認識手段を用いてデータを付与する。認識手段とは例えばバーコードなどである。食料品Ｂに付与された情報は購入時に装置Ｃによって識別され、総合される。【００１０】装置Ｃは上記情報を認識する認識手段と、獲得した情報を総合化することが出来るＣＰＵで構成される演算手段、さらに得られた結果について出力する出力装置で構成され、出力された情報は装置Ｄへ送られる。【００１１】装置Ｄは上記情報を基に、購入者に最も合致する広告データを装置Ｅが蓄積する食料品広告情報データベースから検索することが出来るＣＰＵで構成される判断手段を有している。例えば、食料品Ｂ１とＢ２について、装置Ｃから送られてきた情報から、ある一つの栄養素が不足していると判断した場合は、装置Ｅにその不足した栄養素を補える食料品の広告データを検索する。装置Ｄは装置Ｅから取得した広告データを装置Ｆへ送る。【００１２】装置Ｅは各食料品についての広告データを蓄積する記憶手段を有した装置であり、これは随時新たな情報を入力、もしくは不要な情報を削除することが出来る。広告データは例えば商品の名称、メーカー、および広告文や画像からなっている。【００１３】装置Ｆは装置Ｄが検索し出力した広告データを消費者に提供できる広告情報付加装置であり、プリンタ装置がこれに対応し、例えばレシートなどの余白部分に広告情報を印刷する。【００１４】尚、本例では装置Ｃと装置Ｄを別々の装置としたが、これら二つは一つのコンピュータの中に統合したシステムとしてもよい。また、装置Ｃが出力した情報は装置Ｄに送られるとしたが、この情報はそのまま装置Ｆに送られ消費者に提供される、としてもよい。（実施形態２）次に、本発明の実施形態２について説明する。【００１５】本例は上記実施形態と基本構成は同じであるが、想定する場所が小売店舗ではなく、レストランなどの外食店である。以下、具体的に説明する。図３は本例の構成を説明する図であり、装置Ａは各食料メニューｂの栄養情報を蓄積する記憶手段を有した装置であり、それらの情報を各食料品に、精算時に識別できる認識手段を用いてデータを付与する。これらのデータは装置Ｃが読み込んで認識し、総合して、その情報を装置Ｄへ送る。装置Ｄはその情報に基づいて、消費者に適当な広告データを装置Ｅが保有する広告データから検索する。装置Ｅは食料品広告情報データベースである。装置Ｄは装置Ｅから検索した広告データを装置Ｆへ送る。装置Ｆは装置Ｄが検索し出力した広告データを消費者に提供できる広告情報付加装置であり、プリンタ装置がこれに対応し、例えばレシートなどの余白部分に広告情報を印刷する。【００１６】以上のように、消費者が外食店で食したメニューから、最適な食料品広告を検索し提供することで、消費者、企業側双方にとってより効果的な広告宣伝活動が可能である。
【図面の簡単な説明】
【００１７】
【図１】本発明を小売店舗および、外食店で使用する際の全体構成を表す簡易フローチャートである。
【図２】本発明を実施形態１で使用した際の全体構成を表す簡易フローチャートである。
【図３】本発明を実施形態２で使用した際の全体構成を表す簡易フローチャートである。
【符号の説明】
【００１８】１：食料品栄養情報データベース２：食料品および食料メニュー３：食料品および食料メニュー４：食料品および食料メニュー５：栄養情報の認識、総合化演算装置６：広告情報検索、出力装置７：食料品広告情報データベース８：情報付加装置Ａ：食料品栄養情報データベースＢ：食料品Ｃ：食料品栄養データを総合化演算装置Ｄ：食料品広告判断装置Ｅ：食料品広告情報データベースＦ：広告情報付加手段Ｇ：食料品広告Ａ：食料品栄養情報データベースｂ：食料メニューＣ：食料品栄養データを総合化演算装置Ｄ：食料品広告判断装置Ｅ：食料品広告情報データベースＦ：広告情報付加手段Ｇ：食料品広告